(57)【要約】【課題】簡易な装置で、必要な場合に集中して除菌を行うことができる薬剤ディスペンサを提供すること。【解決手段】  本発明の薬剤ディスペンサ１は、基板２とハウジング３と押圧部材４と薬剤容器５とを備え、押圧部材４を押圧すると薬剤容器５から第１の薬剤が供給されるとともに、同時にハウジング３内で空気流を発生し、発生した空気流により薬剤収容部２４に収容された第２の薬剤１４を拡散して排出口３９からハウジング３の外部に拡散することで、使用者が第１の薬剤を用いた時だけ、第２の薬剤を拡散するため、第２の薬剤の消耗を抑制することができる。【選択図】図１１
2020156865.tif 000002
【特許請求の範囲】
【請求項１】
背面に配置される基板と、
当該基板の前面を覆うハウジングと、
当該ハウジングに使用者が押圧可能に配置された押圧部材と、
前記ハウジングの内部に配置され、前記押圧部材を押圧すると押圧部材が変位することにより、その被押圧部が押下されて容器内部に収容された第１の薬剤を薬剤供給口から外部に供給する薬剤容器と、
前記押圧部材を押圧すると押圧部材が変位することにより、空気流を発生する空気流発生機構と、
前記空気流をハウジングの外部に排出する排出口と、
当該発生した空気流により第２の薬剤が拡散され前記排出口からハウジングの外部に排出されるように、当該第２の薬剤を収容する薬剤収容部と、
を備えたことを特徴とする薬剤ディスペンサ。
【請求項２】
前記第１の薬剤は、便器若しくは手指の洗浄のための液体洗浄剤であり、前記第２の薬剤は、前記空気流により拡散可能な除菌剤、消臭剤若しくは芳香剤であることを特徴とする請求項１に記載の薬剤ディスペンサ。
【請求項３】
前記薬剤容器は、ポンプ式容器から構成されることを特徴とする請求項１又は２に記載の薬剤ディスペンサ。
【請求項４】
前記薬剤収容部は、上部が開口した凹部として形成され、
前記排出口は、前記ハウジングの当該薬剤収容部の下方に設けたことを特徴とする請求項１〜３のいずれか一項に記載の薬剤ディスペンサ。
【請求項５】
前記押圧部材は、前記ハウジングの上面に配置されることを特徴とする請求項１〜４のいずれか一項に記載の薬剤ディスペンサ。
【発明の詳細な説明】
【技術分野】
【０００１】
本発明は、薬剤ディスペンサに係り、詳しくは使用者の操作により１回分の薬剤が提供される薬剤ディスペンサに関する。
【背景技術】
【０００２】
従来より、図１５に示す特許文献１に開示された発明のように、便座の除菌をするための薬剤を供給する除菌便座クリーニングディスペンサーが提案され、蓋板１０１を押圧することで、内部に収容された薬液タンク１０２のバネ付押釦１０３を押圧し、薬液タンク１０２に収容された薬液を噴出孔１０４から供給するような発明があった。
【０００３】
近年、便座だけでなく、トイレや洗面所において空気を除菌するものとして、例えば二酸化塩素による除菌が知られるようになった。この二酸化塩素は、塩素原子上に不対電子をもつラジカルであり、反応性が高く、殺菌作用があり、消臭・消毒などに使われる。常温、常圧では塩素やオゾンのような刺激臭があり空気より重い気体であるが、濃度等により臭気・色調は異なる。光や熱に対しては不安定である。水溶液も同様に不安定である。特許文献２には、薬剤の安定化のため、収容体内に収容されている二酸化塩素粉末が空気中の水分と反応して二酸化塩素ガスを発生し、その二酸化塩素ガスが開口部から外部に排出されるようなものが提案された。
【０００４】
また、特許文献３では、保存安定性に優れ、二酸化塩素濃度を長期間、略一定の範囲内に保持させることができる純粋二酸化塩素液剤が提案された。
このように安定化され二酸化塩素を一定の濃度で室内を除菌できるようになった。
【０００５】
また、二酸化塩素は空気より重いため、特許文献４の空気浄化装置のように、送風ファンにより、二酸化塩素を拡散するものがあった。
【先行技術文献】
【特許文献】
【０００６】
【特許文献１】特開２００９−２４７４９５号公報
【特許文献２】実用新案登録第３１５４０９４号公報
【特許文献３】特開２０１３−５６９０７号公報
【特許文献４】特開２０１６−１９６４２号公報
【発明の概要】
【発明が解決しようとする課題】
【０００７】
しかしながら、使用時に集中した二酸化塩素等による除菌が望まれる一方で、不使用時には二酸化塩素等の消耗を抑えたいという要望があった。特許文献３のように人体をセンサで検知して、使用時のみ拡散する方法も考えられるが、装置が複雑で高価となりメンテナンスも必要となる。
【０００８】
本発明は、簡易な装置で、必要な場合に集中して除菌を行うことができる薬剤ディスペンサを提供することを目的とする。
【課題を解決するための手段】
【０００９】
上記課題を解決するため、本発明の薬剤ディスペンサは、背面に配置される基板と、当該基板の前面を覆うハウジングと、当該ハウジングに使用者が押圧可能に配置された押圧部材と、前記ハウジングの内部に配置され、前記押圧部材を押圧すると押圧部材が変位することにより、その被押圧部が押下されて容器内部に収容された第１の薬剤を薬剤供給口から外部に供給する薬剤容器と、前記押圧部材を押圧すると押圧部材が変位することにより、空気流を発生する空気流発生機構と、前記空気流をハウジングの外部に排出する排出口と、当該発生した空気流により第２の薬剤が拡散され前記排出口からハウジングの外部に排出されるように、当該第２の薬剤を収容する薬剤収容部とを備えたことを要旨とする。
【００１０】
また、前記第１の薬剤は、便器若しくは手指の洗浄のための液体洗浄剤であり、前記第２の薬剤は、前記空気流により拡散可能な除菌剤、消臭剤若しくは芳香剤であることも望ましい。
【００１１】
また、前記薬剤容器は、ポンプ式容器から構成されることも望ましい。
また、前記薬剤収容部は、上部が開口した凹部として形成され、前記排出口は、前記ハウジングの当該薬剤収容部の下方に設けることも好ましい。
【００１２】
前記押圧部材は、前記ハウジングの上面に配置されることも好ましく、この場合前記ハウジングは、前記押圧部材に設けられた鍵穴からロック解除キーを挿入することでロックが解除されて、基板から開放することが可能に構成されることも好ましい。
【発明の効果】
【００１３】
本発明によれば、簡易な装置で、必要な場合に集中して除菌を行うことができる。
【図面の簡単な説明】
【００１４】
【図１】本実施形態の薬剤ディスペンサの正面斜め上からの斜視図。
【図２】本実施形態の薬剤ディスペンサの正面斜め下からの斜視図。
【図３】本実施形態の薬剤ディスペンサの正面図。
【図４】本実施形態の薬剤ディスペンサの背面図。
【図５】本実施形態の薬剤ディスペンサの右側面図。
【図６】本実施形態の薬剤ディスペンサの平面図。
【図７】本実施形態の薬剤ディスペンサの底面図。
【図８】本実施形態の薬剤ディスペンサの分解斜視図。
【図９】本実施形態の薬剤ディスペンサのハウジングを背面斜め下から見た斜視図。
【図１０】本実施形態の薬剤ディスペンサの図３のＡ−Ａ断面図。
【図１１】図９の薬剤ディスペンサの押圧部材を押下した状態を示す断面図。
【図１２】本実施形態の薬剤ディスペンサのハウジングを省略した正面斜め上からの斜視図。
【図１３】本実施形態の薬剤ディスペンサのハウジングを省略した正面斜め下からの斜視図。
【図１４】変形例を示す斜視図。
【図１５】従来の薬剤ディスペンサの一例を示す断面図。
【発明を実施するための形態】
【００１５】
（第１の実施形態）
以下、本発明を具体化した薬剤ディスペンサの一実施形態を図１〜図１３にしたがって説明する。
【００１６】
＜薬剤ディスペンサ１の外観＞
まず、薬剤ディスペンサ１の外観を説明する。図１は、本実施形態の薬剤ディスペンサ１の正面斜め上からの斜視図、図２は正面斜め下からの斜視図である。図３は正面図、図４は背面図、図５は右側面図、図６は平面図、図７は底面図である。
【００１７】
薬剤ディスペンサ１は、全体がポリプロピレン（ＰＰ）、ポリスチレン（ＰＳ）、ＡＢＳ樹脂などの樹脂製で、一定の強度と弾力性を備えた素材で製造される。
図６、図７に示すように概ね半円状の底面を有する柱状で、図５に示すように上端部は背面から正面に向けて下降し、下端部は背面から正面に向けて上昇するような面となっている。
【００１８】
ハウジング本体３１は、概ね半割円筒状であるが、図１に示すように、正面側の下部に正面凹部３２が形成されている。この正面凹部３２は、図７に示す底面側から見て弧状の凹部で、図３に示す正面図では、砲弾型の形状となっている。
【００１９】
この正面凹部３２の上端近傍には、薬剤供給ノズル５４のための長孔であるノズル開口３３が縦方向に穿設されている。ノズル開口３３が縦長なのは、薬剤供給時に薬剤供給ノズル５４が上下に移動するからである。
【００２０】
ハウジング３の下部には排出口３９が設けられる。排出口３９は、前後方向に設けられた１２本の平行なスリットから構成され、ハウジング３内部と外部空間とを連通している。
【００２１】
図４に示すように、薬剤ディスペンサ１の背面には、基板２が設けられ、さらに基板２の背面には、取付部材６が配置される。
＜取付部材６＞
図８に示すように、取付部材６は、基板２の背面を概ね覆うような長方形の取付板６１を備える。この取付板６１は、トイレの壁面などに接着剤などで固定され、基板２が着脱自在に装着される。この壁面に固定された取付板６１の四隅に配置された係止爪６２を基板２の対応する位置に設けられた係止孔２８に挿入する。係止爪６２は、先端が上方に屈曲している鈎状に形成されているので、基板２を取り付けたあと下方にずらす。そうすると取付部材６の一部に設けられた係止ばね６３が基板２の係止ロック孔２９にその弾性で入り込み、基板２が取付部材６に対して上方にずれないようにロックされる。基板２を取付部材６から外すには、この係止ばね６３を係止ロック孔２９から押し付けながら上方にずらす必要がある。この手順は、ハウジング３が開放されている場合にしか行うことができないため、薬剤ディスペンサ１の盗難が防止できる。
【００２２】
＜基板２＞
図８に示すように、基板２は、取付部材６に取り付けられ、取付部材６が見えないような概ね一回り大きな長方形の背板２１を備える。
【００２３】
＜薬剤容器支持部２２、薬剤容器受け部２３＞
背板２１の左右両端部中央には、前方に向けて突出する一対の薬剤容器支持部２２が突設され、その前方端部は内側に湾曲するように形成されている。また、下端から５分の１くらいの位置に、前方に水平に突出する棚状の薬剤容器受け部２３が設けられる。ここには、図１２、図１３に示すように薬剤容器５が配置される。
【００２４】
＜薬剤収容部２４＞
また、下端部近傍には、やはり前方に水平に突出された棚状に形成された薬剤収容部２４が形成されている。この薬剤収容部２４の前端は、ハウジング３の内部面近くまで延びており、かつ２つの切り込み２４ａが形成されている。
【００２５】
図１２、図１３に示すように、この薬剤収容部２４には、二酸化塩素を袋詰めした第２の薬剤（固形）１４が収容される。この切り込み２４ａは、二酸化塩素の気体が拡散されるための通路となっている。
【００２６】
＜ハウジング３の回動＞
図９に示すように、ハウジング３の下端の基板２側には、左右に内側に突出するハウジング回動軸３８が設けられている。このハウジング回動軸３８は、図１３に示すように、基板２の補強リブ２６の後端部に穿設された孔からなるハウジング支持部２５に挿入され、回動自由に基板２により支持される。
【００２７】
＜ハウジング３のロック＞
図８に示すようにハウジング３の上端部の基板２側には、前側に水平に突出する板状の押圧部材ストッパ３６が設けられる。そして、その前端部の幅方向中央部には、一対の切欠からなるロック凹部３７が設けられる。一方、基板２の上端部には、前方に突出する一対のロック爪２７が設けられている。ロック爪２７の前端部には上向きの係止爪が形成されている。
【００２８】
ハウジング支持部２５にハウジング回動軸３８が支持されたハウジング３は回動可能に支持されるが、ハウジング３の上部を基板２側に押し付けると、基板２のロック爪２７が押圧部材ストッパ３６の下に沿って摺動し、ハウジング３が閉じられると、ロック爪２７がロック凹部３７に嵌り込み、ハウジング３が固定される。
【００２９】
＜ハウジング３のロック解除＞
図８に示すように、基板２の一対のロック爪２７の先端の間には、ロック解除ブロック２７ａが設けられている。
【００３０】
押圧部材４の基板２側端部近傍には、横方向に穿設されたスリットである鍵穴４４が設けられ、この鍵穴４４に板状のロック解除キー７を挿入する。ロック解除キー７を挿入すると、その先端が一対のロック爪２７の先端に設けられたロック解除ブロック２７ａに当接し、さらに押圧すると一対のロック爪２７を同時に下方に撓ませる。そうすると、ロック凹部３７に嵌り込んでいた一対のロック爪２７のロックが外れ、ハウジング３の上部が、前方に解放される。ロック解除ブロック２７ａは、ロック解除キー７がロック爪２７に当接しにくいのを、当接させ、下方に撓みやすくする部材である。
【００３１】
＜押圧部材４＞
押圧部材４は、概ね半円状の板状部材で、その基板側の両端部に軸状に突設して形成されたヒンジ部４３が設けられる。このヒンジ部４３は、ハウジング３の上端縁３４の開口部の基板２側に孔状に穿設された押圧部材支持部３５に嵌入される。そのため、押圧部材４は、このヒンジ部４３を中心に回動可能にハウジング３に支持される。
【００３２】
押圧部材４の基板側の基端部近傍の下方には、前方に水平に突出するハウジング３の押圧部材ストッパ３６が形成されている。このため、押圧部材４は、薬剤容器５がセットされていないときでも、下方への回動が規制され、押圧部材４が下方に落ち込むようなことはない。
【００３３】
＜薬剤容器５＞
薬剤容器５は、例えば便座のふき取り用の洗浄剤が収容されるボトルである。図１２、図１３に示すように、薬剤容器５は、基板２の薬剤容器支持部２２と薬剤容器受け部２３により、基板２に位置決めされて動かないように保持される。
【００３４】
薬剤容器５は、いわゆるポンプディスペンサからなるポンプ式容器であり、図１０に示すように、薬剤容器５の上部には、キャップ５２を備える。またキャップ５２に支持され押下することでポンプが働きスプリングで戻る被押圧部５３を備える。そして、図１１に示すように被押圧部５３を押下することでポンプが働き薬剤を供給する薬剤供給口５５を備えた薬剤供給ノズル５４が設けられている。この薬剤供給ノズル５４は被押圧部５３を押下すると被押圧部５３とともに上下する。
【００３５】
（実施形態の作用）
＜薬剤ディスペンサ１により第１の薬剤の供給＞
ここで、図１０および図１１を参照して薬剤ディスペンサ１による第１の薬剤の供給について説明する。
【００３６】
図１０に示すように、薬剤ディスペンサ１の押圧部材４の下部は、薬剤容器５の被押圧部５３に当接している。
ここで、使用者が薬剤ディスペンサ１の押圧部材４の押下部４２を押圧すると、図１１に示すように、押圧部材４はヒンジ部４３を中心に下向きに回動する。そうすると押圧部材４の下部が、薬剤容器５の被押圧部５３を押圧する。薬剤容器５の被押圧部５３は押圧されることで、下方に移動しつつポンプが働き、それに伴って薬剤供給ノズル５４も下方に移動しながら、薬剤供給口５５から第１の薬剤５６を噴出する。薬剤供給ノズル５４の先端は、ハウジング３のノズル開口３３を介して外部に露出しているため、使用者は、第１の薬剤５６をトイレットペーパなどで受け止めて、便器の拭き取り洗浄などに供する。
【００３７】
＜第２の薬剤の拡散について＞
上述のとおり、薬剤ディスペンサ１の押圧部材４を操作することで、使用者は第１の薬剤の供給を受けて便器の拭き取り洗浄などに供することができる。
【００３８】
このとき、第２の薬剤（固形）１４の拡散も同時に行うことができる。
図１０に示す状態から使用者が押圧部材４を押圧して図１１の状態にすると、押圧部材４の下方にある空間である圧縮部１２の空気が圧縮される。押圧部材４とハウジング３の隙間も小さく、ノズル開口３３も比較的面積が狭いため、圧縮部１２の空気は、押圧部材４の変位でも十分に圧縮される。圧縮された空気は、主に薬剤容器５と基板２との間の空間、特に左右両端の空間を使って下方に送られる。下方に送られた空気は、背面側から薬剤収容部２４に流れ込み、ここに収容された第２の薬剤（固形）１４の表面を通過する。ここを通過する空気により、第２の薬剤（固形）１４から気体の二酸化塩素が拡散される。拡散した第２の薬剤１５は、切り込み２４ａを通り、排出口３９から、外部に拡散される。
【００３９】
（実施形態の効果）
本発明の薬剤ディスペンサ１は、上記のような構成を備え、上記のような作用を奏するため、以下のような効果を奏する。
【００４０】
（１）押圧部材４を押圧すると押圧部材４が変位することにより、空気流を発生する空気流発生機構を備え、発生した空気流により第２の薬剤（たとえば固形化した二酸化塩素）１４が拡散され排出口３９からハウジングの外部に排出されるように、当該第２の薬剤を収容する薬剤収容部２４とを備えたため、
使用者が第１の薬剤（たとえば便座洗浄剤）を使用した時だけ第２の薬剤を積極的に拡散する。そのため、使用者が存在するときに限り第２の薬剤を積極的に拡散することができるとともに、使用者が不在な時には、第２の薬剤の拡散を抑制して、第２の薬剤の消耗を抑えることができる。
【００４１】
（２）例えば、第１の薬剤は、便器若しくは手指の洗浄のための液体洗浄剤であり、第２の薬剤を、空気流により拡散可能な除菌剤、消臭剤若しくは芳香剤とすることができ、使用者が存在する場合、特に洗浄剤を使用するような潔癖な使用者に対しては、除菌剤のみならず消臭剤や芳香剤を用いて、好感度を上げることができる。
【００４２】
（３）特に薬剤容器５をポンプ式容器から構成することで、押圧部材４のストロークを大きくして変位を大きくすることで、より空気流の発生量を大きくすることができる。
（４）本実施形態の押圧部材４は、ハウジング３の上面に配置されるため、第１の薬剤の供給を上部で行うことができ、薬剤ディスペンサ１の下部の構成を簡易にすることができる。そのため第２の薬剤の収容スペースを容易に確保することができる。
【００４３】
（５）また、押圧部材４をハウジング３の上面に配置したため、ハウジング３は、基板２の下部に軸支されるとともにその上部が基板２に設けられたロック爪２７により係止され、押圧部材４に設けられた鍵穴４４からロック解除キー７を挿入することでロックが解除されて、基板２から開放する構成とすることができた。
【００４４】
そのため、簡易な構成で、一般の公衆トイレにおいて、薬剤容器５や薬剤ディスペンサ１自体の盗難などを効果的に防止することができる。
（変形例）
なお、上記実施形態は、以下のように実施してもよい。
【００４５】
・図１４に示すように、実施形態の薬剤収容部２４は、上部が開口し、底部が閉鎖された容器状の凹部として形成され、排出口３９は、ハウジング３の薬剤収容部２４の下方に設ける。つまり、空気より重い二酸化塩素などをこの凹部に収容することで、無人時の薬剤の消耗を抑制し、第１の薬剤の使用時には、この凹部からなる薬剤収容部２４に溜まった濃厚な第２の薬剤を空気流で拡散することで、より第２の薬剤の効果を人間がいるときに集中的に奏するようにすることができる。
【００４６】
・上記実施形態では、押圧部材４はハウジング３に上部に設ける構成としたが、従来技術として示した前面から押圧するような構成でも、蓋板１０１の変位による空気が圧縮され、その空気流を使用して、上記実施形態と同様な構成とすることも可能である。
【００４７】
・実施形態や変形例の第１の薬剤や、第２の薬剤は例示であり、これらに限定されるものではない。例えば、殺虫剤や忌避剤などとしてもよい。
本発明の本質は、第１の薬剤や第２の薬剤の種類にあるのではなく、第１の薬剤の使用時の押圧に関連して、第２の薬剤を活用できる点にある。
【００４８】
・さらに第３の薬剤などを使用してもよい。
・本実施形態は、当業者であれば、特許請求の範囲に記載を逸脱しない範囲で、その構成を付加し、削除し又は変更して本発明が実施できることは言うまでもない。
【符号の説明】
【００４９】
１…薬剤ディスペンサ、２…基板、３…ハウジング、４…押圧部材、５…薬剤容器（第１の薬剤）、１１…空気流発生機構、１２…圧縮部、１３…空気流路、１４…第２の薬剤（固形）、１５…拡散した第２の薬剤、２４…薬剤収容部、３９…排出口、４４…鍵穴、５６…第１の薬剤
【図１】
2020156865.tif 000003
【図２】
2020156865.tif 000004
【図３】
2020156865.tif 000005
【図４】
2020156865.tif 000006
【図５】
2020156865.tif 000007
【図６】
2020156865.tif 000008
【図７】
2020156865.tif 000009
【図８】
2020156865.tif 000010
【図９】
2020156865.tif 000011
【図１０】
2020156865.tif 000012
【図１１】
2020156865.tif 000013
【図１２】
2020156865.tif 000014
【図１３】
2020156865.tif 000015
【図１４】
2020156865.tif 000016
【図１５】
2020156865.tif 000017